(57)【要約】【課題】  スイッチの作動に関して改善された電動工具を提供する。【解決手段】  電動工具であって、モータ１１０を収容する工具本体１０１と、工具本体１０１に連接されたハンドル５００Ａ，５００Ｂと、モータ１１０を駆動するオン状態とモータ１１０を停止するオフ状態間での状態切り替えのために所定の軸上を直線的に移動可能な作動子５１３を有するスイッチ５１０と、ハンドル５００Ａに設けられ、初期位置と当該初期位置から所定の距離を隔てた操作位置の間で回動操作が可能とされたスイッチ操作部材５２０と、スイッチ操作部材５２０と作動子５１３の間に介在されて所定の軸上を直線的に移動可能な可動部材５３０と、を有する。スイッチ操作部材５２０が初期位置から操作位置へと回動操作されたとき、スイッチ操作部材５２０で可動部材５３０が押されて所定の軸上を直線的に移動してスイッチ５１０の作動子５１３を直線的に移動させる構成とした。【選択図】  図１
2015136743.tif 000002
【特許請求の範囲】
【請求項１】
先端工具をモータにより駆動させて加工作業を行う電動工具であって、
前記モータを収容する工具本体と、
前記工具本体に連接されたハンドルと、
前記モータを駆動するオン状態と前記モータを停止するオフ状態との間で切り替え可能に構成されるとともに、前記オン状態と前記オフ状態間での切り替えのために所定の軸上を直線的に移動可能な作動子を有するスイッチと、
前記ハンドルに所定の支点を中心として回動可能に設けられ、初期位置と当該初期位置から所定の距離を隔てた操作位置の間で作業者による回動操作が可能とされたスイッチ操作部材と、
前記スイッチ操作部材と前記スイッチの作動子間に介在され、前記所定の軸上を直線的に移動可能な可動部材と、
を有し、
前記スイッチ操作部材が前記初期位置から前記操作位置へと回動操作されたとき、当該スイッチ操作部材により前記可動部材が押されることで当該可動部材が前記所定の軸上を直線的に移動して前記スイッチが前記オフ状態から前記オン状態に切り替わるように前記作動子を移動させる構成としたことを特徴とする電動工具。
【請求項２】
請求項１に記載の電動工具であって、
前記ハンドルは、長尺状に形成されており、
前記スイッチの作動子は、前記ハンドルの内部に配置されており、
前記作動子が移動する前記所定の軸の軸方向は、前記ハンドルの長軸方向と一致していることを特徴とする電動工具。
【請求項３】
請求項１又は２に記載の電動工具であって、
前記スイッチ操作部材は、前記ハンドルに対して前記所定の支点を中心として前記所定の軸の軸方向に交差する方向に回動可能に設けられていることを特徴とする電動工具。
【請求項４】
請求項１〜３のいずれか１項に記載の電動工具であって、
前記ハンドルは、前記工具本体に連接される基部と、作業者が把持する把持部とを有し、
前記スイッチは、前記基部に配置されていることを特徴とする電動工具。
【請求項５】
請求項４に記載の電動工具であって、
前記スイッチ操作部材の回動運動の中心を構成する前記所定の支点が、前記基部に設けられていることを特徴とする電動工具。
【請求項６】
請求項１〜５のいずれか１項に記載の電動工具であって、
前記スイッチ操作部材は、作業者の手指で操作可能な第１部分と、前記可動部材に対して相対移動可能に係合して当該可動部材を移動させる第２部分を有し、
前記スイッチ操作部材の回動運動の中心を構成する前記所定の支点から前記第１部分の手指により把持される部位までの距離が、前記所定の支点から前記第２部分の前記可動部材に係合する部位までの距離よりも長いことを特徴とする電動工具。
【請求項７】
請求項１〜６のいずれか１項に記載の電動工具であって、
前記電動工具は、前記先端工具の長軸方向に直線動作して当該先端工具に打撃力を付与する打撃子を備えた打撃工具として構成されており、
前記ハンドルとは別に第２ハンドルを有し、
前記ハンドルと前記第２ハンドルは、前記先端工具の長軸方向に延在する軸線を挟んで配置され、
前記ハンドルと前記第２ハンドルは、前記先端工具の長軸方向に交差する方向に延在するように配置されていることを特徴とする電動工具。
【発明の詳細な説明】
【技術分野】
【０００１】
本発明は、先端工具をモータにより駆動させて加工作業を行う電動工具に関する。
【背景技術】
【０００２】
特開２００４−３３０３７７号公報は、作業者の左右の手によりそれぞれ把持される一対のハンドルを備えた電動ハンマを示している。この電動ハンマでは、一方のハンドルにモータ駆動用のスイッチを操作するスイッチ操作部材としてのトリガを備えている。トリガは、所定の支点を中心として回動操作可能に設けられている。そして、作業者がハンドルを把持した手指でトリガを回動させることでスイッチをオフ状態からオン状態に切り替えてモータを駆動する構成である。
【先行技術文献】
【特許文献】
【０００３】
【特許文献１】特開２００４−３３０３７７号公報
【発明の概要】
【発明が解決しようとする課題】
【０００４】
上記のように、回動運動するトリガによってスイッチを操作する構成の場合、トリガがスイッチに対して斜めに当たり、スイッチの作動の円滑性が損なわれる可能性があるという点で、なお改良の余地がある。
【０００５】
本発明は、上記に鑑みてなされたものであり、スイッチの作動に関して改良された電動工具を提供することを目的とする。
【課題を解決するための手段】
【０００６】
上記課題を達成するため、本発明に係る電動工具の好ましい形態によれば、先端工具をモータにより駆動させて加工作業を行う電動工具が構成される。電動工具は、モータを収容する工具本体と、工具本体に設けられたハンドルと、モータを駆動するオン状態とモータを停止するオフ状態との間で切り替え可能に構成されるとともに、前記オン状態とオフ状態間での切り替えのために所定の軸上を直線的に移動可能な作動子を有するスイッチと、ハンドルに所定の支点を中心として回動可能に設けられ、初期位置と当該初期位置から所定の距離を隔てた操作位置の間で作業者による回動操作が可能とされたスイッチ操作部材と、スイッチ操作部材とスイッチの作動子間に介在され、所定の軸上を直線的に移動可能な可動部材と、を有する。そして、スイッチ操作部材が初期位置から操作位置へと回動操作されたとき、当該スイッチ操作部材により可動部材が押されることで当該可動部材が所定の軸上を直線的に移動してスイッチがオフ状態からオン状態に切り替わるように作動子を移動させる構成としている。
【０００７】
本発明によれば、可動部材が所定の軸上を直線的に移動してスイッチの作動子を移動させる構成としている。このため、可動部材がスイッチの作動子に対して直線的に作用することになり、スイッチの作動が滑らかになる。この場合において、所定の軸上において可動部材の端面とスイッチの作動子の端面が互いに当接するように構成してもよいし、可動部材と作動子を連結する構成にしてもよい。可動部材の端面とスイッチの作動子の端面が互いに当接する構成の場合であれば、可動部材の端面と作動子の端面間での擦れが回避され、摩耗が軽減される。
【０００８】
本発明に係る電動工具の更なる形態によれば、ハンドルは、長尺状に形成されている。スイッチの作動子は、ハンドルの内部に配置されている。作動子が移動する所定の軸の軸方向は、ハンドルの長軸方向と一致している。
この形態によれば、ハンドルの内部でスイッチの作動子が当該ハンドルの長軸方向に移動する合理的な配置が構築される。
【０００９】
また、本発明に係る電動工具の更なる形態によれば、スイッチ操作部材は、ハンドルに対して所定の支点を中心として所定の軸の軸方向に交差する方向に回動操作されるように構成されている。
この形態によれば、スイッチ操作部材が所定の軸の軸方向に交差する方向に回動操作される構成のため、ハンドルを把持する手指でスイッチ操作部材をハンドルと共に把持するようにして操作することが可能であり、操作性が良い。
【００１０】
また、本発明に係る電動工具の更なる形態によれば、ハンドルは、工具本体に連接される基部と、作業者が把持する把持部とを有する。そして、スイッチは、基部に配置されている。この場合、スイッチ操作部材の回動運動の中心を構成する所定の支点が、基部に設けられていることが好ましい。
この形態によれば、スイッチ操作部材の回動運動の中心を構成する所定の支点の位置をスイッチ寄りに設定することが可能となる。このことによりハンドルが長尺状に形成される場合、当該ハンドルの長軸方向長さを短縮することが可能になる。
【００１１】
また、本発明に係る電動工具の更なる形態によれば、スイッチ操作部材は、作業者の手指で操作可能な第１部分と、可動部材に対して相対移動可能に係合して当該可動部材を移動させる第２部分を有する。そして、スイッチ操作部材の回動運動の中心を構成する所定の支点から第１部分の手指により把持される部位までの距離が、所定の支点から第２部分の可動部材に係合する部位までの距離よりも長い。
この形態によれば、スイッチ操作部材の回動運動の中心を構成する所定の支点から第１部分の手指により把持される部位までの距離を、所定の支点から第２部分の可動部材に係合する部位までの距離よりも長く設定しているため、第１部分を小さい力で操作することができる。
【００１２】
また、本発明に係る電動工具の更なる形態によれば、電動工具は、先端工具の長軸方向に直線動作して当該先端工具に打撃力を付与する打撃子を備えた打撃工具として構成されている。そして、ハンドルとは別に第２ハンドルを有し、ハンドルと第２ハンドルは、先端工具の長軸方向に延在する軸線を挟んで配置されるとともに、先端工具の長軸方向に交差する方向に延在するように配置されている。
この形態によれば、作業者は、ハンドルと第２ハンドルを左右の手によりそれぞれ把持し、先端工具を直線動作させて所定の作業を行うことができる。
【発明の効果】
【００１３】
本発明によれば、スイッチの作動に関して改良された電動工具が提供される。
【図面の簡単な説明】
【００１４】
【図１】本実施形態に係る打撃工具の正断面図である。
【図２】図１の部分拡大図である。
【図３】スイッチ部の構造を示す断面図であり、トリガの非操作状態を示す。
【図４】スイッチ部の構造を示す断面図であり、トリガの操作状態を示す。
【図５】図３のＡ−Ａ線断面図である。
【図６】外側ハウジングに装着する前のハンドグリップを基部側から見た図である。
【図７】スイッチガイドに対するトリガの抜け止め構造を説明する図である。
【図８】電材ケースと補強部材を示す斜視図であり、補強部材の装着前の状態を示す。
【図９】電材ケースと補強部材を示す斜視図であり、補強部材の装着後の状態を示す。
【発明を実施するための最良の形態】
【００１５】
以下、本発明の実施形態につき、図１〜図９を参照しつつ詳細に説明する。本実施形態は、電動工具の一例として電動ハンマを用いて説明する。図１に示すように、本実施形態に係る電動ハンマ１００は、本体部１０１の先端領域にハンマビット１１９を装着し、装着されたハンマビット１１９を長軸方向に打撃動作させて、被加工材、例えばコンクリートに対してハツリ作業を行う打撃工具である。ハンマビット１１９は、筒状のツールホルダ１３１を介して本体部１０１に着脱自在に取り付けられる。ハンマビット１１９は、ツールホルダ１３１のビット挿入孔内に挿入され、周方向への相対的な回動が規制された状態で保持される。このハンマビット１１９が、本発明における「先端工具」に対応し、本体部１０１が、本発明における「工具本体」に対応する実施構成例である。
【００１６】
本体部１０１は、電動モータ１１０及び運動変換機構１２０を収容する本体ハウジング１０３、打撃要素１４０及びツールホルダ１３１の一部を収容するバレル部１０４、及び本体ハウジング１０３の全体を外側から覆うように配置された外側ハウジング１０５を主体として構成される。なお、本体ハウジング１０３及びバレル部１０４は、共にアルミニウム製であり、ハンマビット１１９の長軸方向に関して本体ハウジング１０３のハンマビット側の端面と、バレル部１０４のハンマビット１１９と反対側の端面とを互いに接合される。ハンマビット１１９の長軸方向に関して本体部１０１のハンマビット１１９と反対側には、ハツリ作業を行うべく電動ハンマ１００を操作するための一対のハンドグリップ５００Ａ，５００Ｂが配置されている。
【００１７】
なお、本実施形態に係る電動ハンマ１００は、概ね３０kgの重量を有する大型ハンマであり、基本的には作業者がハンドグリップ５００Ａ，５００Ｂを把持し、ハンマビット１１９を下向きにした状態でハツリ作業を行う。従って、本実施形態では、便宜上、ハンマビット１１９の長軸方向、すなわち本体部１０１の長軸方向に関して、ハンマビット１１９側を下側、その反対側を上側という。
【００１８】
電動モータ１１０は、交流（ＡＣ）電源からの給電によって駆動される構成である。電動モータ１１０は、当該電動モータ１１０のモータ軸１１１がハンマビット１１９の長軸方向に延在する軸線に対して交差するように配置されている。電動モータ１１０の回転は、運動変換機構１２０によって直線運動に変換された上で打撃要素１４０に伝達され、当該打撃要素１４０を介してハンマビット１１９を長軸方向（図１における下方向）に打撃する。
【００１９】
運動変換機構１２０は、電動モータ１１０の下方に配置されるクランク軸１２１、連接ロッド１２３、ピストン１２５等からなるクランク機構によって構成される。運動変換機構１２０は、複数のギアからなるギア減速機１１３を介して電動モータ１１０により駆動される。ピストン１２５は、打撃要素１４０を駆動する駆動子を構成する。ピストン１２５は、シリンダ１４１内をハンマビット１１９の長軸方向に摺動可能とされる。なお、クランク軸１２１は、電動モータ１１０のモータ軸１１１と平行に配置されている。
【００２０】
打撃要素１４０は、打撃子としてのストライカ１４３と、中間子としてのインパクトボルト１４５とを主体として構成される。ストライカ１４３は、シリンダ１４１内に摺動自在に配置される。インパクトボルト１４５は、ツールホルダ１３１内に摺動自在に配置されるとともに、ストライカ１４３の運動エネルギをハンマビット１１９に伝達する。シリンダ１４１は、ツールホルダ１３１の上方に同心状に配置されるとともに、ピストン１２５及びストライカ１４３によって仕切られる空気室１４１ａを有する。ストライカ１４３は、ピストン１２５の摺動動作に伴う空気室１４１ａの空気ばねを介して駆動され、インパクトボルト１４５に衝突し、当該インパクトボルト１４５を介してハンマビット１１９を打撃する。
【００２１】
電動ハンマ１００における本体部１０１の上方側である、本体ハウジング１０３の外側には、外側ハウジング１０５が配置されている。外側ハウジング１０５は、電動ハンマ１００を上方から見た場合には、概ね左右方向に長い長方形状で、且つ側方から見た場合には、下方が開放された筒状に形成されている。そして、本体ハウジング１０３の全体を外側から覆うように配置されている。外側ハウジング１０５は、本体ハウジング１０３に対して弾性部材としての複数の圧縮コイルバネ（図示省略）を介して連結され、ハンマビット１１９の長軸方向に相対移動可能に構成されている。
【００２２】
外側ハウジング１０５の外側面には、電動ハンマ１００を操作するための左右の手によりそれぞれ把持される一対のハンドグリップ５００Ａ，５００Ｂが配置されている。ハンドグリップ５００Ａ，５００Ｂは、ハンマビット１１９の長軸方向に延在する軸線の所定位置で当該軸線を挟んで左右に配置され、具体的には軸線に関して左右対称に配置されている。
【００２３】
ハンドグリップ５００Ａ，５００Ｂは、内部に中空部を有する合成樹脂製の長尺状の円筒状部材であり、ハンマビット１１９の長軸方向に交差する方向に延在している。ハンドグリップ５００Ａ，５００Ｂは、当該ハンドグリップ５００Ａ，５００Ｂの延在方向に関して、作業者が把持する円筒形状のグリップ部５０１と当該グリップ部５０１に連接された基部５０３とを有する。基部５０３は、ブリップ部５０１よりも大径の筒状に形成されるとともに、グリップ部５０１との連接側の反対側が開放されている。基部５０３は、グリップ部５０１との連接側に、当該連接部分から開放側に向かって漸次拡径するテーパ領域を有する構成とされるとともに、当該基部５０３の軸線方向と交差する交差面に関する断面形状が略四角形に形成されている。そして、基部５０３は、外側ハウジング１０５の外面に複数のネジ（図示省略）により固定状に連結されるとともに、グリップ部５０１がハンマビット１１９の長軸方向と交差する左右方向に水平状に延びて自由端とされている。すなわち、ハンドグリップ５００Ａ，５００Ｂは、外側ハウジング１０５に対して片持ち梁状に連結されている。グリップ部５０１が、本発明における「把持部」に対応し、基部５０３が、本発明における「基部」に対応する実施構成例である。
【００２４】
図２〜図５に示すように、一対のハンドグリップ５００Ａ，５００Ｂのうち一方のハンドグリップ５００Ａには、電動モータ１１０の駆動及び停止を操作するための電気スイッチ５１０と、電気スイッチ５１０を操作するトリガ５２０が設けられている。電気スイッチ５１０は、スイッチ本体部５１１と、プランジャ５１３を主体として構成される。この電気スイッチ５１０が、本発明における「スイッチ」に対応し、プランジャ５１３が、本発明における「作動子」に対応する実施構成例である。プランジャ５１３は、スイッチ本体部５１１に収容されるとともに、一部がスイッチ本体部５１１の外側に突出する。スイッチ本体部５１１には、可動接点及び固定接点からなる開閉部（図示省略）が内蔵されている。開閉部は可動接点が固定接点に接触するオン状態と、可動接点が固定接点から離間するオフ状態との間でプランジャ５１３によって切り替え可能とされている。スイッチ本体部５１１の開閉部がオン状態に切り替えられることで、電動モータ１１０が駆動され、オフ状態に切り替えられることで電動モータ１１０が停止されるように構成される。なお、一対のハンドグリップ５００Ａ，５００Ｂのうち他方のハンドグリップ５００Ｂには、電気スイッチ５１０及びトリガ５２０が配設されていない。一対のハンドグリップ５００Ａ，５００Ｂのうち一方のハンドグリップ５００Ａが、本発明における「ハンドル」に対応し、他方のハンドグリップ５００Ｂが、本発明における「第２ハンドル」に対応する実施構成例である。
【００２５】
プランジャ５１３は、スイッチ本体部５１１に当該プランジャ５１３の長軸方向に移動可能に支持されるとともに、長軸方向の一端部がスイッチ本体部５１１の外側に所定長さで突出されている。プランジャ５１３は、スイッチ本体部５１１に近接する方向（図３の右方）へ移動された場合には、可動接点を固定接点に接触させてオン状態とし、スイッチ本体部から離間する方向（図３の左方）に移動された場合には、可動接点を固定接点から離間させてオフ状態とするように構成されている。すなわち、プランジャ５１３は、スイッチ本体部５１１の開閉部をオン状態とするオン位置とオフ状態とするオフ位置との間で移動可能とされ、常時にはスイッチ本体部５１１内に設けられた内蔵バネ（図示省略）により、オフ位置に向けて付勢されるとともに、当該オフ位置に保持されるように構成されている。
【００２６】
図３に示すように、上記のように構成される電気スイッチ５１０は、ハンドグリップ５００Ａの長軸方向に関して、プランジャ５１３がハンドグリップ５００Ａの先端側に向かって突出し、かつプランジャ５１３がハンドグリップ５００Ａの基部５０３内に位置するように配置される。また、電気スイッチ５１０は、プランジャ５１３の長軸方向がハンドグリップ５００Ａの長軸方向と一致するように配置される。なお、スイッチ本体部５１１は、外側ハウジング１０５に形成されたスイッチボックス１０６に収容されるとともに、当該収容された状態で当該スイッチボックス１０６にネジ１０８（図５参照）で固定されたスイッチカバー１０７によって堅固に固定されている。
【００２７】
一方のハンドグリップ５００Ａには、図３に示すように、トリガ５２０及びスイッチガイド５３０が配置されている。トリガ５２０は、ハンドグリップ５００Ａの長軸方向に延在するとともに作業者の手指により操作可能な操作レバー部５２１と、操作レバー部５２１の延在方向に交差する方向に延在するとともにスイッチガイド５３０を作動させるガイド作動部５２３とを主体として構成される。トリガ５２０が、本発明における「スイッチ操作部材」に対応する実施構成例である。
【００２８】
図３に示すように、一方のハンドグリップ５００Ａのグリップ部５０１の上面側には、当該グリップ部５０１の中空部５０１ａに通じる略長方形状の開口５０２が形成されている。この開口５０２は、トリガ５２０の操作レバー部５２１を配置するために設けられ、ハンドグリップ５００Ａの長軸方向に長い長方形状に形成されている。操作レバー部５２１は、当該操作レバー部５２１の延在方向の全長にわたって下側が開放された横断面Ｕ形に形成されている。操作レバー部５２１は、グリップ部５０１の開口５０２に配置されて作業者の手指で操作される操作部５２１ａと、当該操作部５２１ａに連接して延在する取付部５２１ｂとを有する。操作レバー部５２１の取付部５２１ｂは、ハンドグリップ５００Ａの基部５０３の内側の上面側に配置されている。図６に示すように、取付部５２１ｂの延在端部の両側面にはハンドグリップ５００Ａの長軸方向に交差する水平方向に外向きに突出する短円柱状の軸部５２５が設けられている。また、取付部５２１ｂには、スイッチガイド５３０に係合するガイド作動部５２３が一体に設けられている。ガイド作動部５２３は、図６に示すように、取付部５２１ｂのＵ形形状を形成する両側板からそれぞれスイッチガイド５３０に向かって所定長さで突出する二股状の突状部材として形成されている。操作レバー部５２１が、本発明における「第１部分」に対応し、ガイド作動部５２３が、本発明における「第２部分」に対応する実施構成例である。
【００２９】
一方のハンドグリップ５００Ａの基部５０３の内側上面には、操作レバー部５２１の取付部５２１ｂの側面を両側から挟んで延在するリブ５０５が設けられ、このリブ５０５の端部に略半円弧状の凹部５０５ａが形成されている。そして、凹部５０５ａに取付部５２１ｂの軸部５２５が係合されて回動可能に支持される。すなわち、トリガ５２０はハンドグリップ５００Ａに対し、軸部５２５を回動支点としてハンドグリップ５００Ａの長軸方向に交差する上下方向に回動可能に取り付けられている。そして、トリガ５２０は、非操作時には、電気スイッチ５１０の内蔵バネの付勢力により操作レバー部５２１が開口５０２を通してグリップ部５０１の外面から外側に突出する非操作位置（図３に示す位置）に保持され、作業者の手指により操作レバー部５２１が押圧操作されたときに、操作レバー部５２１の操作部５２１ａの上面がグリップ部５０１の外面に近接する操作位置（図４に示す位置）へと回動される。非操作位置が、本発明における「初期位置」に対応し、操作位置が、本発明における「操作位置」に対応する実施構成例である。
【００３０】
なお、操作レバー部５２１の先端には、ストッパ５２１ｃが設けられ、トリガ５２０が操作位置へと回動された際に、グリップ部５０１に設けた係止部５０１ｂにストッパ５２１ｃが係止することでトリガ５２０が操作位置に保持されるようになっている。また、トリガ５２０については、回動支点を構成する軸部５２５の中心から操作レバー部５２１の手指により把持される部位までの長さが、軸部５２５の中心からガイド作動部５２３のスイッチガイド５３０に係合する部位までの長さよりも長く設定されている。具体的には、軸部５２５から操作レバー部５２１の手指により把持される部位までの長さが、軸部５２５からガイド作動部５２３のスイッチガイド５３０に係合する部位までの長さの概ね３倍に設定している。
【００３１】
スイッチガイド５３０は、図２〜図５に示すように、ハンドグリップ５００Ａのグリップ部５０１の中空部５０１ａ内に収容されている。スイッチガイド５３０は、トリガ５２０とプランジャ５１３との間に介在状に配置され、トリガ５２０が操作位置へと回動されたときに、当該トリガ５２０で押されることで直線的に移動してプランジャ５１３を直線的に移動させる部材として備えられる。このスイッチガイド５３０が、本発明における「可動部材」に対応する実施構成例である。スイッチガイド５３０は、グリップ部５０１の長軸方向に沿って所定長さで延在する上面が開放された長方形の箱形に形成される。スイッチガイド５３０は、グリップ部５０１の長軸方向に直線的に移動可能に配置され、グリップ部５０１の内面に形成されたリブ状のガイドレール部５０７（図５参照）によって案内される。ガイドレール部５０７は、スイッチガイド５３０を挟んで対向されるとともに、グリップ部５０１の長軸方向に直線状に延在している。
【００３２】
図５に示すように、スイッチガイド５３０の長軸方向の一端側には、ハンドグリップ５００Ａの先端側が開放された平面視でＵ形の２つの係合凹部５３１が形成されている。２つの係合凹部５３１は、スイッチガイド５３０の長軸方向に交差する方向に所定の間隔を置いて配置され、当該２つの係合凹部５３１にガイド作動部５２３が係合される。そして、トリガ５２０が非操作位置から操作位置へと回動操作されたとき、スイッチガイド５３０は、係合凹部５３１の底面に当接するガイド作動部５２３により押されてスイッチ本体部５１１に近づく方向（図３、図５の右方）に直線的に移動するように構成されている。
【００３３】
スイッチガイド５３０は、２つの係合凹部５３１間に１つの当接部５３３を備えている。この当接部５３３は、プランジャ５１３の長軸方向と直交する鉛直面を有し、当該鉛直面に対して電気スイッチ５１０のプランジャ５１３の先端が当接されている。従って、プランジャ５１３は、スイッチガイド５３０がスイッチ本体部５１１に近づく方向へ移動するとき、当該スイッチガイド５３０の当接部５３３で押されてスイッチ本体部５１１側へ移動される。プランジャ５１３は、スイッチ本体部５１１に内蔵された内蔵バネによってオフ位置に向けて付勢されるとともに、当該オフ位置に保持されている。従って、トリガ５２０の非操作状態では、スイッチガイド５３０は、スイッチ本体部５１１の内蔵バネの付勢力によりプランジャ５１３で押されてスイッチ本体部５１１から離れる側（図３、図５の左側）に移動された位置に保持されており、これに対応してトリガ５２０が非操作位置に保持される。
【００３４】
なお、トリガ５２０及びスイッチガイド５３０は、外側ハウジング１０５に組み付ける前の段階でハンドグリップ５００Ａに組み付けられる。具体的には、トリガ５２０のガイド作動部５２３をスイッチガイド５３０の係合凹部５３１に係合した状態で、ハンドグリップ５００Ａの基部５０３側からグリップ部５０１の中空部５０１ａ内に差し入れるようにして組み付けられる。この組み付け時において、ガイド作動部５２３がスイッチガイド５３０の係合凹部５３１から簡単に抜け落ちないようにするために、図７に示すように、Ｕ形の２つの係合凹部５３１には、外寄りの内面に内向きに突出する半球状の突部５３１ａが設けられている。すなわち、ガイド作動部５２３は、係合凹部５３１を形成している側板の弾性撓みを利用して突部５３１ａの上を越えて係合凹部５３１に係合するように構成されている。
【００３５】
また、一対のハンドグリップ５００Ａ，５００Ｂは、図２〜図５に示すように、グリップ部５０１の表面全体がエラストマ５０９によって被覆されている。グリップ部５０１の先端面は、当該グリップ部５０１の長軸線に直交する鉛直面に対して所定角度で傾斜する傾斜面５０１ｃに形成されている。傾斜面５０１ｃの傾斜角度は、当該傾斜面５０１ｃに沿って延在する延長線がハンマビット１１９の先端領域と交差するような角度に設定されている。このように設定することで、起立状態の電動ハンマ１００が、ハンマビット１１９を起点にしてハンドグリップ５００Ａ或いは５００Ｂの先端が地面に向かうように倒れたとき、グリップ部５０１の傾斜面５０１ｃは、地面に対して概ね平行となる。一方、グリップ部５０１を覆うエラストマ５０９の先端面５０９ａは、鉛直面に平行に形成されている。つまり、グリップ部５０１の先端面を覆うエラストマ５０９の端部は、上側よりも下側が肉厚に形成されている。これにより、電動ハンマ１００が、ハンドグリップ５００Ａ或いは５００Ｂの先端が地面に向かうようにして倒れたときの衝撃を緩衝する。
【００３６】
また、図２に示すように、外側ハウジング１０５の内面と本体ハウジング１０３の外面との間の内部空間のうち電気スイッチ５１０に近い領域には、コントローラ５４１や電線などの電材部品を収納する電材ケース５４０が配置されている。そして、図２、図８及び図９に示すように、当該電材ケース５４０のうち電気スイッチ５１０と対向する領域、すなわち、一方のハンドグリップ５００Ａの基部５０３と対向する領域には、電材ケース５４０、及び電材ケース５４０に収納された電材部品を保護するための補強部材５４３が配置されている。補強部材５４３は、合成樹脂又はアルミニウム製であり、所定の間隔を置いて対向状に配置された２枚の側板と、２枚の側板の一端部同士を互いに接続する１枚の天板とからなる門型状に形成されている。補強部材５４３は、電材ケース５４０の一部を跨ぐように配置されて当該電材ケース５４０の一部を覆うとともに、本体ハウジング１０３にネジ５４５により固定されている。図８は補強部材５４３が配置される前の電材ケース５４０を示し、図９は補強部材５４３が配置された状態の電材ケース５４０を示す。
【００３７】
本実施形態に係る電動ハンマ１００は、上記のように構成されている。従って、電動ハンマ１００によりハンマ作業を行う場合には、作業者は、一対のハンドグリップ５００Ａ，５００Ｂを左側と右側の手によりそれぞれ把持するとともに、ハンマビット１１９を下向きにした状態で一方のハンドグリップ５００Ａを把持した手指でトリガ５２０の操作レバー部５２１を押圧する。手指で押された操作レバー部５２１が、軸部５２５を回動支点にして操作位置（図４に示す位置）へと回動されると、ガイド作動部５２３がスイッチガイド５３０の係合凹部５３１を押す。これにより、スイッチガイド５３０がスイッチ本体部５１１に向かって直線状に移動し、スイッチガイド５３０の当接部５３３によってプランジャ５１３を押す。このため、プランジャ５１３は、スイッチ本体部５１１内の内蔵バネの付勢力に抗してスイッチ本体部５１１側へ直線的に移動し、開閉部をオフ状態からオン状態に切り替える。この切り替えにより電動モータ１１０が駆動し、ハンマビット１１９を直線動作させて被加工材に対しハンマ作業を行うことができる。
【００３８】
なお、ハンマ作業を中止するべく、トリガ５２０の操作レバー部５２１の押圧を解除すると、スイッチ本体部５１１内の内蔵バネの付勢力により、プランジャ５１３がスイッチ本体部５１１から突出する方向へ移動される。これにより、スイッチ本体部５１１の開閉部がオン状態からオフ状態に切り替わり、電動モータ１１０が停止される。プランジャ５１３がスイッチ本体部５１１から突出する方向へ移動されることで、スイッチガイド５３０及びトリガ５２０が操作前の位置へ復帰する。
【００３９】
本実施形態によれば、トリガ５２０の回動運動をスイッチガイド５３０の直線運動に変換し、当該スイッチガイド５３０の直線的な移動によりプランジャ５１３を直線的に移動させる。このため、スイッチガイド５３０が電気スイッチ５１０のプランジャ５１３に対して直線的に作用することになり、プランジャ５１３の移動が滑らかになる。この場合、プランジャ５１３の長軸方向に関して、スイッチガイド５３０の当接部５３３とプランジャ５１３の先端との間には、相対移動が生じない。すなわち、互いに当接する当接部５３３の端面とプランジャの端面間での擦れが回避されることになり、端面の摩耗が軽減される。
【００４０】
また、本実施形態によれば、ハンドグリップ５００Ａは、内部に中空部を有する長尺状の筒状部材として形成されている。そして、プランジャ５１３は、当該プランジャ５１３の移動方向に延在する軸方向がハンドルの長軸方向と一致するように、ハンドグリップ５００Ａの基部５０３の内部に配置されている。このため、プランジャ５１３、及び当該プランジャ５１３とトリガ５２０との間に介在状に配置されるスイッチガイド５３０を、グリップ部５０１の中空部を利用して合理的に配置することができる。
【００４１】
また、本実施形態によれば、トリガ５２０がハンドグリップ５００Ａの長軸方向と交差する上下方向に回動操作される。このため、ハンドグリップ５００Ａを把持する手指によりハンドグリップ５００Ａと共にトリガ５２０を握るだけでトリガ５２０を操作することが可能であり、操作性が良い。
【００４２】
また、本実施形態によれば、ハンドグリップ５００Ａは、外側ハウジング１０５に連接される基部５０３と、作業者が把持するグリップ部５０１とを有し、電気スイッチ５１０が基部５０３に配置される。この場合、本実施形態では、トリガ５２０の回動支点の位置をプランジャ５１３の長軸方向において、スイッチ本体部５１１の付近に設定している。つまり、トリガ５２０をできるだけ工具本体側に寄せて配置している。このため、プランジャ５１３の移動ストロークを確保した上で、ハンドグリップ５００Ａの長軸方向長さを短縮することが可能になる。
【００４３】
また、本実施形態によれば、トリガ５２０の操作レバー部５２１がハンドグリップ５００Ａの長軸方向に沿って延在し、ガイド作動部５２３が操作レバー部５２１の延在する方向に交差する方向へと延在している。そして、トリガ５２０の回動中心を構成する軸部５２５から操作レバー部５２１の手指により把持される部位までの距離が、軸部５２５からガイド作動部５２３のスイッチガイド５３０に係合する部位までの距離よりも長く設定している。このため、操作レバー部５２１を回動操作する力を、ガイド作動部５２３がスイッチガイド５３０を押す力よりも小さくでき、操作力を軽減することができる。
【００４４】
なお、上述した実施形態は、電動工具の例として、電動ハンマの場合で説明したが、穴明け作業に用いられる電気ドリルや切断作業に用いられるチェーンソー等、ハンドグリップに電動モータ駆動用の電気スイッチを操作するトリガが備えられている電動工具であれば、適用可能である。
【００４５】
なお、本発明の趣旨に鑑み、以下の如き態様を構成することができる。
（態様１）
「請求項１〜７のいずれか１項に記載の電動工具であって、
前記ハンドルは、内部に中空部を有する長尺状に形成され、
前記可動部材は、前記ハンドルの前記中空部に配置されており、
前記ハンドルは、前記可動部材が直線的に移動するように当該可動部材を案内するガイド部を有することを特徴とする電動工具。」
【００４６】
態様１によれば、ハンドルの中空部内に配置された可動部材をガイド部により案内するように構成したので、可動部材の直線動作の安定化を図ることができる。
【００４７】
（態様２）
「請求項１〜７のいずれか１項に記載の電動工具であって、
前記工具本体は、前記モータを収容する本体ハウジングと、当該本体ハウジングを外側から覆うように配置されるとともに、当該本体ハウジングに弾性部材を介して連結された外側ハウジングを有し、
前記外側ハウジングに前記ハンドルが取り付けられていることを特徴とする電動工具。」
【００４８】
態様２によれば、加工作業時に本体ハウジングに発生する振動のハンドルへの伝達を低減することができる。
【００４９】
（態様３）
「態様２に記載の電動工具であって、
電材部品を収容する電材ケースを有し、
前記電材ケースは、前記本体ハウジングの外面と前記外側ハウジングの内面間に形成される内部空間のうち前記スイッチに近い領域に配置されており、
前記外側ハウジングと前記電材ケースとの間には補強部材が配置されており、
前記補強部材は、前記電材ケースの少なくとも一部を覆うように配置された状態で前記本体ハウジングに固定されていることを特徴とする電動工具。」
【００５０】
態様３によれば、外側ハウジングに外力が作用した場合に、補強部材を介して前記外力を本体ハウジングで受けることにより電材ケースへの外力の作用を回避し、当該電材ケース、及び電材部品を保護することができる。
【００５１】
（態様４）
「請求項７に記載の電動工具であって、
前記ハンドル及び前記第２ハンドルそれぞれは、筒状のグリップ部と、当該グリップ部の外側を被覆するエラストマを有し、
前記グリップ部の先端面は、前記先端工具の長軸方向に延在する軸線に対して傾斜する傾斜面として形成され、
前記傾斜面の傾斜角度は、当該傾斜面に沿って延在する延長線が前記先端工具の先端領域に向かうような角度に設定されており、
前記グリップ部の先端面を覆う前記エラストマの端部は、前記先端工具側が当該先端工具の反対側よりも肉厚に形成されていることを特徴とする電動工具。」
【００５２】
態様４によれば、グリップ部の先端面を覆うエラストマの端部につき、先端工具側が当該先端工具の反対側よりも肉厚に形成されていることにより、電動工具が、先端工具の先端を起点にしてグリップ部の先端が地面に向かうように倒れたときのエラストマによる緩衝効果が向上する。
【００５３】
（実施形態の各構成要素と本発明の構成要素との対応関係）
本実施形態における各構成要素と、本発明における構成要素との発明特定事項との関係は、以下のとおりである。もちろん、本実施形態における各構成要素は、対応する本発明の特定事項に関する一つの実施構成例に過ぎず、本発明の各構成要素はこれに限定されるものではない。
電動ハンマ１００が、本発明の「電動工具」に対応する構成の一例である。
本体部１０１が、本発明の「工具本体」に対応する構成の一例である。
ハンマビット１１９が、本発明の「先端工具」に対応する構成の一例である。
電動モータ１１０が、本発明の「モータ」に対応する構成の一例である。
一方のハンドグリップ５００Ａが、本発明の「ハンドル」に対応する構成の一例である。
他方のハンドグリップ５００Ｂが、本発明の「第２ハンドル」に対応する構成の一例である。
グリップ部５０１が、本発明の「把持部」に対応する構成の一例である。
基部５０３が、本発明の「基部」に対応する構成の一例である。
電気スイッチ５１０が、本発明の「スイッチ」に対応する構成の一例である。
プランジャ５１３が、本発明の「作動子」に対応する構成の一例である。
トリガ５２０が、本発明の「スイッチ操作部材」に対応する構成の一例である。
操作レバー部５２１が、本発明の「第１部分」に対応する構成の一例である。
ガイド作動部５２３が、本発明の「第２部分」に対応する構成の一例である。
スイッチガイド５３０が、本発明の「可動部材」に対応する構成の一例である。
【符号の説明】
【００５４】
１００  電動ハンマ（電動工具）
１０１  本体部（工具本体）
１０３  本体ハウジング
１０４  バレル部
１０５  外側ハウジング
１０６  スイッチボックス
１０７  スイッチカバー
１０８  ネジ
１１０  電動モータ（モータ）
１１１  モータ軸
１１３  ギア減速機
１１９  ハンマビット（先端工具）
１２０  運動変換機構
１２１  クランク軸
１２３  連接ロッド
１２５  ピストン
１３１  ツールホルダ
１４０  打撃要素
１４１  シリンダ
１４１ａ  空気室
１４３  ストライカ
１４５  インパクトボルト
５００Ａ  一方のハンドグリップ（ハンドル）
５００Ｂ  他方のハンドグリップ（第２ハンドル）
５０１  グリップ部（把持部）
５０１ａ  中空部
５０１ｂ  係止部
５０１ｃ  傾斜面
５０２  開口
５０３  基部（基部）
５０５  リブ
５０５ａ  凹部
５０７  ガイドレール部
５０９  エラストマ
５０９ａ  先端面
５１０  電気スイッチ（スイッチ）
５１１  スイッチ本体部
５１３  プランジャ（作動子）
５２０  トリガ（スイッチ操作部材）
５２１  操作レバー部（第１部分）
５２１ａ  操作部
５２１ｂ  取付部
５２１ｃ  ストッパ
５２３  ガイド作動部（第２部分）
５２５  軸部（回動支点）
５３０  スイッチガイド（可動部材）
５３１  係合凹部
５３１ａ  突部
５３３  当接部
５４０  電材ケース
５４１  コントローラ
５４３  補強部材
５４５  ネジ
【図１】
2015136743.tif 000003
【図２】
2015136743.tif 000004
【図３】
2015136743.tif 000005
【図４】
2015136743.tif 000006
【図５】
2015136743.tif 000007
【図６】
2015136743.tif 000008
【図７】
2015136743.tif 000009
【図８】
2015136743.tif 000010
【図９】
2015136743.tif 000011